(57)【要約】      （修正有）【課題】非通電状態を使用者の目にもわかりやすく印象付けるコンセントタップの提供。【解決手段】壁のコンセント口またはタップのコンセント口の内部に、中間電極３を有した可動式の中間電極部２を設ける。この中間電極部は電源側電極４と使用電気製品の電源プラグ６を中継する。使用する電気製品のプラグを差し込むと通常のコンセントと同様に通電する。同プラグ６を引き抜くとコンセントタップ内部でまず電源側電極４と中間電極３の接触が外れる。中間電極部は同製品側プラグとともに引き抜かれる方向に所定の位置までスライドし、使用者に電気的に遮断されていることを印象付ける。この状態からさらに電気製品のプラグを引き抜くと、プラグ電極５と中間電極３の接触が外れて、同プラグは物理的にもコンセント口から抜けた状態になる。前記電源側電極４と中間電極３の接触が外れた状態から製品側プラグ６を押し込めば、再び使用電気製品は通電状態となる。【選択図】図３
2007095644.tif 000002
【特許請求の範囲】
【請求項１】
電力供給側の電極と使用電気製品の電源プラグ電極を中継する可動式の中間電極部を設けたコンセントタップ。
【発明の詳細な説明】
【技術分野】
【０００１】  本発明はコンセントタップであって、通電のＯＮとＯＦＦを切り替えることができるコンセントタップに関するものである。
【技術背景】
【０００２】  従来、電源コンセントの通電状態をＯＮからＯＦＦにするためには、コンセント口からプラグを引き抜く方法と、プラグを挿したままスイッチ等によって電気的接触を断つ方法とがあった。
【発明の開示】
【発明が解決しようとする課題】
【０００３】  電気製品は多くはその電源をＯＦＦにしても、電源コンセントから電力供給を受けて待機電力を消費する。待機電力の消費をなくすためには、電源プラグをコンセント口から引き抜く、通電スイッチ付きのタップを用いてスイッチを切るなどの方法がある。
しかしプラグの頻繁な抜き差しは労力を要する作業であり、小さな子供が真似すると危険である。また、電気製品によっては外した状態のプラグには電荷が溜まっていて感電の恐れがある。そして、外したプラグは行き場を失い床に放置されることが多く、再びコンセントに挿す時に拾う手間を要する。
また通電スイッチ付きのタップでは通電状態をライトや色で明示するタイプのものもあるが、ＯＮとＯＦＦで見た目のタップ形状が変わらないという問題があり、使用者に非通電を強く認識させて節電の安心感を与えるものではなかった。
本発明は以上の問題点を解決し、大きな力を必要とせずに電極部を露出することなく通電状態を切り替えることができ、しかも非通電状態を使用者の目にもわかりやすく印象付けるようになされたものである。
【課題を解決するための手段】
【０００４】  壁のコンセント口またはタップのコンセント口の内部に、中間電極を有した可動式の中間電極部を設ける。この中間電極部は電源側の配線電極と使用電気製品の電源プラグを中継する。
使用する電気製品のプラグを差し込むと通常のコンセントと同様に通電する。
同プラグを引き抜くとコンセントタップ内部でまず電源側の電極と中間電極の接触が外れる。中間電極部は同製品側プラグとともに引き抜かれる方向に所定の位置までスライドし、使用者に電気的に遮断されていることを印象付ける。
この状態からさらに電気製品のプラグを引き抜くと、同プラグと中間電極の接触が外れて、同プラグは物理的にもコンセント口から抜けた状態になる。
前記電源側の電極と中間電極の接触が外れた状態から製品側プラグを押し込めば、再び使用電気製品は通電状態となる。
【発明の効果】
【０００５】  本発明を使用することによって、電気製品の待機電力消費をなくすためのプラグを抜く作業を容易に行うことができ、再び通電させる時に外した状態の電気製品のプラグを拾う必要がなくなる。また通電・非通電の切り替え時に電極部を露出させないことで感電の恐れがなくなる。そしてプラグを手前にスライドさせることで非通電状態を見た目に強く印象付け、使用者に節電の安心感を与える。
【発明の実施の最良の形態】
【０００６】  以下、本発明の実施の形態を説明する。
絶縁物からなる本体１に電源側電極４と中間電極部保持機構７およびストッパー８を設ける。前記本体１内部に、中間電極３を有した可動式中間電極部２を設ける。前記可動式中間電極部２は本体１内部で所定の範囲を動くが、ストッパー８によって本体１の外には飛び出さない。
【０００７】  本発明を使用する場合の各部の働きを説明する。
（１）使用電気製品を通電させる場合は、使用電気製品のプラグ６を本体１に挿すと、中間電極３を中継して電源側電極４とプラグ電極５が接触し通電状態となる。
（２）使用電気製品を一時的に非通電状態にする場合は、使用電気製品のプラグ６を引っ張る方向に力を加えると、中間電極部２が本体１の中間電極部保持機構７から外れ、前記プラグ６と接触したまま前記力の方向へ移動する。このとき中間電極３と電源側電極４との接触は外れ、電源側電極４とプラグ電極５が非通電状態となる。プラグ６は可動式中間電極部３が本体１のストッパー８とぶつかるところまで引き抜かれる。
（３）使用電気製品をコンセントから完全に引き抜く場合は、前記（２）の状態からさらに力を加えて引っ張ると可動式中間電極部２とプラグ６が物理的に外れる。
【０００８】  本発明は壁埋め込み式コンセントとしても適応できるし、外付けのタップとしても適応できる。当然２口以上の口を有するコンセントタップや各種規格のコンセントタップにも適応できる。電源側電極４は用途に応じた規格形状または配線にする。
【０００９】  電極部間の接触の保持強度は、中間電極３とプラグ電極５よりも中間電極３と電源側電極４を弱いものとする。
【００１０】  中間電極部２は、本体１の中間電極部保持機構７によっても保持され、この保持力は中間電極３とプラグ電極５の接触保持力よりも弱いものとする。または、プラグ６を本体１から引き抜く以外の方向への可動させることにより、中間電極部２が本体１の中間電極部保持機構７から外れるものとする。
【００１１】  中間電極部保持機構７は電源側電極４と中間電極３が外れた状態の位置にも設けることができる。
【００１２】  中間電極部２はストッパー８により本体１外部には出てこない。しかしストッパー８を設けずにプラグ６とともに中間電極部２を本体１から引き抜かれる構造にすることで、電極部の露出のないコンセント・プラグとして使用できることも当然考えられる。
【００１３】  中間電極部２は、絶縁物を用いて必要な極数の中間電極３を支持するが、電極ごとに独立して中間電極３を支持してもよい。
【図面の簡単な説明】
【００１４】
【図１】本発明の電極部断面図
【図２】電源プラグが差し込まれた本発明の通電状態の断面図
【図３】電源プラグが差し込まれた本発明の非通電状態の断面図
【図４】本発明の中間電極部が可動した状態の断面図
【図５】本発明を壁埋め込み式コンセントとして使用した場合の斜視図
【符号の説明】
【００１５】  １  本体
２  可動式中間電極部
３  中間電極
４  電源側電極
５  プラグ電極
６  プラグ
７  中間電極部保持機構
８  ストッパー
【図１】
2007095644.tif 000003
【図２】
2007095644.tif 000004
【図３】
2007095644.tif 000005
【図４】
2007095644.tif 000006
【図５】
2007095644.tif 000007